(57)【特許請求の範囲】
【請求項１】
前面に撮影レンズを有する撮像ユニットと、
前記撮像ユニットの撮影レンズが設けられた前面に配置され、当該撮影レンズの光軸に垂直な面で、該撮像ユニットの前面を遮蔽する遮蔽位置と開放する開放位置とに回動自在になるように前記撮像ユニットに取り付けられ、撮影レンズ側に向いた面には撮影画像を電子的に表示する画像表示手段を有し、被写体側に向いた前面にはストロボ発光窓を有する表示ユニットと、備えた
ことを特徴とするカメラ。
【請求項２】
前記表示ユニットは、前記画像表示手段が備えられるファインダの接眼部は前記遮蔽位置にあるとき前記撮像ユニット前面によって遮蔽される、ことを特徴とする請求項１記載のカメラ。
【請求項３】
前記表示ユニットの背面の輪郭形状は、前記撮像ユニットの前面の輪郭形状と略対称な形状を成していることを特徴とする請求項１記載のカメラ。
【請求項４】
前記表示ユニット背面が前記撮像ユニット前面に対向して該撮像ユニット前面を遮蔽する位置にあるとき、前記表示ユニットと前記撮像ユニットのそれぞれの外形輪郭は、対向面に対して対称形を成すことを特徴とする請求項１記載のカメラ。
【請求項５】
前記表示ユニットは、前記撮像ユニットに対する回動軸を中心とし左右いずれの方向にも、該撮像ユニットの前面を遮蔽する遮蔽位置と開放する開放位置とに回動自在になるように前記撮像ユニットに取り付けられる
ことを特徴とする請求項１記載のカメラ。
【請求項６】
前記表示ユニットは、前記ストロボ発光窓を前記回動軸の延長上の位置に具える
ことを特徴とする請求項５記載のカメラ。
【請求項７】
前記表示ユニットは、前記ストロボ発光窓の内部にストロボ発光部を備え、前記ストロボ発光部用のストロボコンデンサを内部に具える
ことを特徴とする請求項１記載のカメラ。
【請求項８】
前記画像表示手段は、前記表示ユニットの回動中心から遠い側の端部近傍に配置されていることを特徴とする請求項１記載のカメラ。
【請求項９】
前記画像表示手段は、前記左右いずれかの回動方向に応じて画像の向きが制御される
ことを特徴とする請求項５記載のカメラ。
【請求項１０】
前記ファインダは、前記画像表示手段による表示画像を前記ファインダからの視点に結像させるための自由曲面プリズムを有し、該自由曲面プリズムを外部から保護する箇所の前記表示ユニットの外観形状は、前記自由曲面プリズムの外形に沿った形状を成している
ことを特徴とする請求項２記載のカメラ。
【請求項１１】
撮影時には、前記撮像ユニットの長手方向が鉛直方向に沿い、前記表示ユニットの長手方向が水平方向に沿った形状で専ら使用されることを特徴とする請求項１記載のカメラ。
【請求項１２】
前記撮像ユニットは、撮影時において鉛直方向に沿う前記長手方向の下部が撮影者に把持されるグリップ部となるように形成されていることを特徴とする請求項１１記載のカメラ。
【請求項１３】
前記撮像ユニットは、外部機器に接続されるコネクタを、撮影時において鉛直方向に沿う前記長手方向の下端部に有することを特徴とする請求項１１記載のカメラ。
【発明の詳細な説明】
【技術分野】
【０００１】
本発明は、携帯性に優れたカメラに関する。
【背景技術】
【０００２】
従来の銀塩カメラは、フイルムを使用するために、カメラの形状がフイルムのパトローネを収納する空間と、フイルム送りのための空間が必須であったため、これらフイルムに係わる空間によって、カメラの形状には大きな制約があった。
近年、デジタルカメラが広く普及してきているが、一般に、デジタルカメラの外観と形状は、従来の銀塩カメラの外観と形状を踏襲したものがいまだに多く見受けられる。しかし、フイルムを使用しないデジタルカメラの場合には、カメラの形状に、フイルムのパトローネ収納空間やフイルム送り空間による制約を受けないのであるから、比較的自由な外観や形状を採ることができる可能性を秘めている。特に、従来の銀塩カメラに比べて小型で携帯性に優れた新たな外観と形状の設計ができる可能性がある。
【０００３】
ただし、小型化すると、例えば把持する部位が無くなる又は小さくなることからくる撮影時の不安定や、保護蓋の省略による表示部の破損等の小型化に伴う不具合が発生する場合が多くなる。
そこで、これらの不具合を防止するために、非撮影時にはカメラ本体を表示部が覆われるような向きでカバー内に収納し、撮影時にはカメラ本体をカバー内から上方に持ち上げるように回動させて外部に取り出し、カバーを把持部として用いることができるようにして撮影時のカメラ把持をより確実にできるカメラが提案されている。（例えば、特許文献１参照。）
また、デジタルカメラには、一般に、撮影画像をその場で確認できるためのＬＣＤ等からなる表示装置が内蔵されているが、このような液晶表示装置を直接視認するのではなく小さな液晶表示装置の画面を自由曲面プリズムを利用して拡大して見ることができるようにしたテレビ電話の表示・撮像装置などて提案されている。（例えば、特許文献２参照。）
【特許文献１】特開２００２−１５２５６４号公報（［要約］、図２、図３）
【特許文献２】特関２０００−０５６２２６号公報（［要約］、図１）
【発明の開示】
【発明が解決しようとする課題】
【０００４】
ところで、一般にカメラというものは、いつでもどこにでも身に付けて持ち歩くことができるような軽便性と使い勝手の良さが望まれる。いつでもどこにでも持ち歩けるようなカメラの要件は種々有ると考えられるが、例えば、どこにでも持ち歩けるということは、カメラを例えばポケットに入れたり首からぶら下げたりして、ユーザによって多様な形態でカメラが持ち運びされるということが予想される。
【０００５】
このように多様な形態で、いつでもどこにでも身に付けて持ち運びができるようにするには、カメラが小型でかつ持ち運びに適した形状であることが望ましく、更には、小型軽便ではあっても、例えばファインダ部やレンズ部のように他の部分に比較して弱い部分が確実に保護されるような構成となっていることが必要である。
【０００６】
また、単に小型でありながら使い勝手が良くかつ確実な保護機構を備えているというだけではなく、観光や行楽の出先で使用される場合などには、例えば首からぶら下げた場合に見た目を楽しませるような遊び心のある外観や形状を備えていると、観光や行楽先での撮影が一層楽しいものとなってくると考えられる。しかし現在まで、そのようなデジタルカメラは存在していない。
【０００７】
本発明の課題は、上記従来の実情に鑑み、従来のカメラの外観や形状に拘らない見た目に楽しい新しい外観と形状を有し、携帯に適し、撮影時の取り扱いが安定していて、更には持ち運び時には構造的に脆弱な部分の破損が防止されるようにも考慮されたカメラを提供することである。
【課題を解決するための手段】
【０００８】
以下に、本発明に係わるカメラの構成を述べる。
本発明のカメラは、前面に撮影レンズを有する撮像ユニットと、前記撮像ユニットの撮影レンズが設けられた前面に配置され、当該撮影レンズの光軸に垂直な面で、該撮像ユニットの前面を遮蔽する遮蔽位置と開放する開放位置とに回動自在になるように前記撮像ユニットに取り付けられ、撮影レンズ側に向いた面には撮影画像を電子的に表示する画像表示手段を有し、被写体側に向いた前面にはストロボ発光窓を有する表示ユニットとを備えて構成される。
【０００９】
上記表示ユニットの背面の輪郭形状は、例えば上記撮像ユニットの前面の輪郭形状と略対称な形状を成して構成される。
そして、このカメラにおいては、例えば上記表示ユニット背面が上記撮像ユニット前面に対向して該撮像ユニット前面を遮蔽する位置にあるとき、上記表示ユニットと上記撮像ユニットのそれぞれの外形輪郭は、対向面に対して対称形を成すように構成される。
【００１０】
また、前記表示ユニットは、前記撮像ユニットに対する回動軸を中心とし左右いずれの方向にも、該撮像ユニットの前面を遮蔽する遮蔽位置と開放する開放位置とに回動自在になるように前記撮像ユニットに取り付けられる。前記表示ユニットは、前記ストロボ発光窓を前記回動軸の延長上の位置に具えて構成される。また、前記表示ユニットは、前記ストロボ発光窓の内部にストロボ発光部を備え、前記ストロボ発光部用のストロボコンデンサを内部に具えて構成される。
【００１１】
上記表示ユニットの接眼部は、上記表示ユニットの回動中心から遠い側の端部近傍に配置されて構成される。前記画像表示手段は、前記左右いずれかの回動方向に応じて画像の向きが制御されて構成される。
【００１２】
また、上記ファインダは、例えば上記画像表示手段による表示画像を上記ファインダからの視点に結像させるための自由曲面プリズムを有し、該自由曲面プリズムを外部から保護する箇所の上記表示ユニットの外観形状は、上記自由曲面プリズムの外形に沿った形状を成して構成される。
【００１３】
また、このカメラにおいては、例えば撮影時には、上記撮像ユニットの長手方向が鉛直方向に沿い、上記表示ユニットの長手方向が水平方向に沿った形状で専ら使用されるように構成される。
そして、上記撮像ユニットは、例えば撮影時において鉛直方向に沿う上記長手方向の下部が撮影者に把持されるグリップ部となるように形成されて構成され、また、例えば外部機器に接続されるコネクタを撮影時において鉛直方向に沿う上記長手方向の下端部に有して構成される。
【発明の効果】
【００１４】
上述したように、本発明によれば、従来のカメラの外観や形状に拘らない見た目に楽しい新しい外観と形状を有し、携帯に適し、撮影時の取り扱いが安定していて、更には持ち運び時には構造的に脆弱な部分の破損が防止されるようにも考慮されたカメラを提供することが可能となる。
【発明を実施するための最良の形態】
【００１５】
以下、本発明の実施の形態を図面を参照しながら説明する。
【実施例１】
【００１６】
図１は、第１の実施形態としてのカメラの斜視図であり、カメラスタンドと共に示す図である。
図２は、上記カメラが非使用時つまり携帯時に畳まれている状態のときの外観図であり同図(a) はその正面図、同図(b) は同図(a) の左側面図、同図(c) は同図(a) の背面図、同図(d) は同図(a) の上面図である。
【００１７】
図１及び図２(a) 〜(d) に示すように、カメラ１は、撮像ユニット２と表示ユニット３とから成る。表示ユニット３の背面と対向する撮像ユニット２の前部には、連結部２−１が撮像ユニット２と一体になって介装されており、この連結部２−１は撮像ユニット２の前面を形成している。
【００１８】
表示ユニット３は、詳しくは後述するように、回動軸４を支点にして撮像ユニット２の前面を遮蔽する遮蔽位置と開放する開放位置とに回動自在に撮像ユニット２に取り付けられている。
撮像ユニット２は、その背面の上記回動軸４を延長した位置にレリース・操作ボタン５を備えており、表示ユニット３は、その前面の上記回動軸４を延長した位置にストロボ窓６を備えている。また、連結部２−１には、上記回動軸４が挿通されていると共に、上端部にはストラップ７を挿通するためのストラップ孔８が設けられ、下端部には後の図に示すコネクタを保護するコネクタカバー９が着脱自在に配置されている。
【００１９】
このカメラ１は、図１に示すように、三角錘状のカメラスタンド１０の頂上に設けられたコネクタ接続端子（図では陰になって見えない）に、図２に示すコネクタカバー９を外して露出するコネクタを差し込むことによって、カメラスタンド１０と連結しながら保持されるように構成されている。カメラスタンド１０には外部前面に表示装置１１が設けられ、カメラ１から上記コネクタを介して送信される画像データに基づいて、所望の画像を表示することができる。また、カメラスタンド１０の内部に、特には図示しないが、充電装置が配設されており、その充電装置からコネクタを介してカメラ１の内蔵電池を充電することができるようになっている。
【００２０】
図３は、カメラ１の内部構成を示す断面図であり、同図(a) は側断面図、同図(b) は同図(a) のＡ−Ａ´断面矢視図、同図(c) は同図(a) のＢ−Ｂ´断面矢視図、同図(d) は同図(a) のＣ−Ｃ´断面矢視図である。
同図(a),(b) に示すように、撮像ユニット２は、上部に撮像レンズブロック１２を備え、その下方に全体の制御を行う基板Ａ１３と内蔵の電池１４が配設されている。上記の撮像レンズブロック１２は、複数の撮影レンズ１５とＣＣＤ(charge coupled device)等からなる撮像素子１６を備えている。また、基板Ａ１３には、詳しくは後述するが、例えばＣＰＵ、記録メモリ、撮像部、レンズ駆動部、電源回路等を構成する複数の電子部品が搭載されている。
【００２１】
連結部２−１は、上端部に上述したストラップ孔８、その下方にレンズ１５用の素通し窓１７、その下方に上述した回動軸４、そして、下端部には、常にはコネクタカバー９で覆われて保護されているコネクタ１８が配設されている。コネクタ１８と撮像ユニット２の基板Ａ１３とは、フレキシブル配線Ａ１９によって接続されている。
【００２２】
他方の表示ユニット３は、上方にストロボコンデンサ２１、主としてストロボの制御を行う基板Ｂ２２、及びストロボ発光部２３を備えている。そして、その下方には、主として表示画像の処理を行う基板Ｃ２４、ＬＣＤから成る表示部２５、自由曲面プリズム２６、及びファインダ窓２７を備えている。尚、上記の基板Ｂ２２及び基板Ｃ２４は、図３(a) に示すように、表示ユニット３のフレキシブル配線Ｂ２８によって、中空の回動軸４を介して撮像ユニット２の主基板Ａ１３にそれぞれ接続されている。
【００２３】
上記のファインダ窓２７には、ＬＣＤ２５に表示された表示画像の光像が自由曲面プリズム２６内の光束路２９を折り返しながら拡大されて出射され、拡大虚像となって視野内に結像する。
このように、表示ユニット３は、内部にストロボ発光部２３を備え、被写体側に向いた前面にストロボ発光窓６を備えているので、このカメラ１の使用環境としては、低輝度環境での撮影も可能となり、いつでもどこでもの要求に容易に対処することができる。
【００２４】
また、表示ユニット３に撮影画像視認用の覗き込み型のファインダ窓２７を備え、自由曲面プリズム２６を用いたＥＶＦ（電子ビューファインダー）によって視野内に結像される拡大虚像を見ることができるので、視認できる画面が大きく極めて使い勝手の良いカメラとなっている。
【００２５】
また、図３(a) に示すように、自由曲面プリズム２６を外部から保護する箇所の表示ユニット３の図１及び図２に示す外観形状は、自由曲面プリズム２６の外形に沿った形状を成して形成されているので、自由曲面プリズム２６を用いたＥＶＦ（電子ビューファインダー）による大画面を覗ける構成でありながら、効率的なレイアウトによってカメラ１の小型化に寄与している。
【００２６】
また、図１〜図３に示すように、カメラ１が非使用時つまり携帯時に畳まれている状態では、一方では表示ユニット３の背面が撮像ユニット２前面を遮蔽して撮影レンズ１５を保護し、他方では撮像ユニット２前面が表示ユニット３の背面を遮蔽してファインダ接眼部であるファインダ窓２７を保護する状態となるので、カメラ１を安心して持ち運ぶことができる。
【００２７】
また、このカメラ１においては、図３(a) に示す表示ユニット３の背面３ｈの形状は、撮像ユニット２の前面２ｆの形状と、製作上の寸法誤差を除けば対称な形状を成して構成されている。
これにより、図１〜図３に示す遮蔽位置では、表示ユニット３の背面３ｈと撮像ユニット２の前面２ｆとの接触周辺部には、外部に対する隙間が殆ど形成されることが無く、したがって、表示ユニット３のファインダ部の撮像ユニット２による遮蔽と、撮像ユニット２の撮影レンズ部の表示ユニット３による遮蔽とが完全に行われて相互に保護されるので持ち運び時のカメラ１への保護が完全に行われる。
【００２８】
また、このカメラ１においては、図１〜図３に示す表示ユニット３背面と撮像ユニット２前面とが相互に遮蔽する位置にあるときの対向面に対して、撮像ユニット２と表示ユニット３それぞれの外形輪郭は、カメラ１全体の中央に位置する撮像ユニット２の連結部２−１を除いて対称形を成すように構成されている。
【００２９】
このように、一方のユニットが他方のユニットに対して回動する構成であって且つ対向面に対して対称形を成すように設計するので、従来には無い斬新なデザインの、例えば蝶々を思わせるようなデザインのカメラを提供することが可能となる。
また、撮像ユニット２の連結部２−１の下端部には、例えばＵＳＢ規格のコネクタ１８を下端部に有し、コネクタカバー９を外して露出するコネクタ１８を、図１に示すようにカメラスタンド１０のコネクタ接続端子に差し込めば、充電や画像表示が出来るだけでなく、コネクタ１８を例えばパーソナルコンピュータやプリンタ等の外部機器に接続することも可能であり、このように、撮像ユニット２が外部機器に接続可能なコネクタ１８を備えているので、このカメラ１を外部機器と連携したカメラシステムとしても利用できるので便利である。
【００３０】
図４は、上記カメラ１の回路ブロック図である。尚、同図には、図１〜図３に示した構成と同一構成部分には、図１〜図３と同一の番号を付与して示している。図４に示すように、撮像ユニット２は、図３(a),(b) に示した基板Ａ１３に、ＣＰＵ３０と、このＣＰＵ３０にバス３１を介して接続された記録メモリ３２、撮影画像処理部３３、撮像部３４、コネクタ１８、ＣＰＵ３０に直接接続された電源部３５、レンズ駆動部３６、操作ボタン（レリースボタン）５、回動位置検出部３７の撮像ユニット側端子３７−１、及びフレキシブル配線Ｂ２８等が配設されている。
【００３１】
また、表示ユニット３は、図３(a),(d) に示した基板Ｂ２２に搭載されているストロボ部３８、基板Ｃ２４に搭載されている表示画像処理部３９、回動位置検出部３７の表示ユニット側端子３７−２、及びフレキシブル配線Ｂ２８等が配設されている。そして、ストロボ部３８はフレキシブル配線Ｂ２８によって撮像ユニット２のＣＰＵ３０に接続されており、表示画像処理部３９は同じくフレキシブル配線Ｂ２８及び撮像ユニット２のバス３１を介して撮影画像処理部３３や記録メモリ３２に接続されている。この表示ユニット３により、撮影時の被写体像や記録された画像の確認ができる。
【００３２】
また、図４に示すように、図１に示したカメラスタンド１０には、撮像ユニット２のコネクタ１８と接続するコネクタ４１が設けられ、コネクタ４１には表示部１１と電源部４２が接続されている。電源部４２には商用ＡＣ電源プラグ４３が接続される。電源部４２は、商用ＡＣ電源プラグ４３から入力される１００Ｖの商用ＡＣ電源を、撮像ユニット２の電源部３５を充電可能な所定のＤＣ電圧に変換して、コネクタ４１、１８、及びフレキシブル配線Ａ１９を介して撮像ユニット２に出力する。また、表示部１１にはフレキシブル配線Ａ１９、コネクタ１８、及び４１を介して、撮像ユニット２の撮影画像処理部３３から撮像画像データが送信される。
【００３３】
図４に示すレリース・操作ボタン５からは、ユーザによる操作イベントがＣＰＵ３０に入力される。ＣＰＵ３０は、この操作イベントに基づいて、電源部３５の接続／遮断、レンズ駆動部３６を介してのレンズ１５のズーム又は焦点の制御、撮像部３４を介しての撮像素子の駆動、撮影画像処理部３３で処理された撮像画像データの記録メモリ３２への記録、表示ユニット３のストロボ部３８を介してのストロボ発光部２３の発光駆動制御、表示画像処理部３９を介しての表示部２５の表示駆動制御、回動位置検出部３７からの検出信号に基づく回動位置の確認等の処理を行う。
【００３４】
図５は、上記の構成におけるカメラ１の使用時の状態を示す図であり、同図(a) は撮像ユニット２に対して表示ユニット３をユーザから見て右側に回動させて使用する場合の状態を示す上面図、同図(b) はそのときのファインダ窓２７内に見えるＥＶＦ虚像の状態を示す図、同図(c) はそのときのカメラ１の正面図である。
【００３５】
また、同図(d) は撮像ユニット２に対して表示ユニット３をユーザから見て左側に回動させて使用する場合の状態を示す上面図、同図(e) はそのときのファインダ窓２７内に見えるＥＶＦ画像の状態を示す図、同図(f) はそのときのカメラ１の正面図である。
図５(a),(c) 又は同図(d),(f) に示すように、表示ユニット２は、撮影レンズ１５の近傍位置つまり回動軸４を中心とし、撮影レンズ１５の光軸に垂直な面で回動するよう撮像ユニット２に取り付けられている。そして、図１〜図３に示した遮蔽位置と、図５(a),(c) 又は(d),(f) に示す開放位置とに回動移動するように構成されている。そして、表示ユニット３の接眼部つまりファインダ窓２７は、表示ユニット３の回動中心である回動軸４から遠い側の端部近傍に配置されている。
【００３６】
このように、表示ユニット３の接眼部（ファインダ窓２７）が、撮像ユニット２との回動中心から可及的に離れた位置に設けられているので、ユーザ（撮影者）４４が、目４５ａ又は４５ｂで接眼部（ファインダ窓２７）から撮像画面のＥＶＦ拡大虚像２５´を視認する時に、撮像ユニット２が頬４６ａ又は４６ｂに触れて邪魔になるということがなく、また、接眼部（ファインダ窓２７）が表示ユニット３の回動軸４から遠い側の端部近傍に配設されていることによりユーザ４４の鼻４７が表示ユニット３の端部に触れて邪魔になるということもない。
【００３７】
また、表示ユニット３は、図５(a),(c) 又は同図(d),(f) に示すように、撮像ユニット２を中心に左右いずれの方向にも回動可能に配置されており、撮影画像を電子的に表示する画像表示手段としての自由曲面プリズム２６によるＥＶＦ拡大虚像２５´の表示される上下の向きを、同図(b) 又は同図(e) に示すように、左右いずれかの回動方向に応じて切り替えるように、図４に示したＣＰＵ３０が、撮影画像処理部３３を制御している。
【００３８】
このように、接眼部（ファインダ窓２７）を有する表示ユニット３を撮像ユニット２に対し左右いずれの方向にも回動可能に配置されるので、利き目に応じて表示ユニット３を利き目４５ａ又は４５ｂ方向に回動させて使用することができ且つＥＶＦ拡大虚像２５´の表示の向きが逆になることもないので極めて便利である。
【００３９】
また、このカメラ１においては、撮影時には、図５(a),(c) 又は同図(d),(f) に示すように、撮像ユニット２の長手方向を鉛直方向に立て、表示ユニット３の長手方向を水平方向に回動させた形状で専ら使用される。そして、このとき撮像ユニット２は、鉛直方向に立てた長手方向の下部がユーザ（撮影者）４４の手に把持されるグリップ部となるように構成されている。
【００４０】
また、このように、撮影時にはグリップ部となる撮像ユニット２には、図３(a),(b) に示したように、重量物である電池が内蔵されているので、保持されるカメラ１の姿勢が安定しやすく、また、十字形に回動した２つのユニットを、一方の撮像ユニット２をグリップ部として、他方の表示ユニット３をファインダー部として、両手で保持することにより更に安定した形で撮影ができるの、これにより、手ぶれが防止されて常に快適な撮像結果が得られ、また、撮影時における使い勝手のよいカメラが実現する。
【実施例２】
【００４１】
図７(a) は、第２の実施形態としてのカメラの非使用時つまり携帯時の斜視図であり、同図(b) はその撮影時の状態を示す斜視図である。同図(a) に示すように、本例のカメラ５０は、撮像ユニット５１とファインダユニット５２とから成る。ファインダユニット５２は、前面にストロボ窓５３を備えている。このファインダユニット５２は、撮像ユニット５１に対し滑動させて、図の矢印ｃで示す図の右側方向に引き出すことができる。
【００４２】
同図(b) は、ファインダユニット５２を撮像ユニット５１から右側方向に引き出した状態を示している。この状態で、同図(a) ではファインダユニット５２によって遮蔽されていた撮像ユニット５１の撮影レンズ５４が前方向きに露出する。
また、ファインダユニット５２には、同図(b) に一部を切り欠いて示すように、内部にＬＣＤ５５と自由曲面プリズム５６が配置されており、背面にファインダー窓５７が形成されている。このファインダー窓５７は、同図(a) に示す携帯時の状態で、撮像ユニット５１の撮影レンズ５４の配置面５８によって遮蔽される。
【００４３】
このカメラ５０の内部の他の構成は、第１の実施形態のカメラ１の内部構成と大同小異である。このように構成しても、携帯時には撮影レンズ部と接眼部が相互に遮蔽し合ってカメラの安全性が維持されると共に全体が小型化されて携帯に便利である。
【実施例３】
【００４４】
図８(a) は、第３の実施形態としてのカメラの非使用時つまり携帯時の斜視図であり、同図(b) はその撮影時の状態を示す斜視図である。同図(a) に示すように、本例のカメラ６０は、撮像ユニット６１とファインダユニット６２とから成る。ファインダユニット６２は、前面にストロボ窓６３を備えている。このファインダユニット６２は、撮像ユニット６１に対し図の矢印ｄで示すように回動中心６４を支点に時計回り方向に回動させて、図の右側方向に突出させることができる。
【００４５】
同図(b) は、ファインダユニット６２を撮像ユニット６１から回動させて右側方向に突出させた状態を示している。この状態で、同図(a) ではファインダユニット６２によって遮蔽されていた撮像ユニット６１の撮影レンズ６５が前方向きに露出する。
また、ファインダユニット６２には、特には図示しないが、図６(b) に示したと同様に内部にＬＣＤと自由曲面プリズムが配置されている。そして、背面にファインダー窓６６が形成されている。本例の場合も、ファインダー窓６６は、同図(a) に示す携帯時の状態で、撮像ユニット６１の撮影レンズ６５の配置面６７によって遮蔽される。
【００４６】
本例のカメラ６０も、内部の他の構成は、第１の実施形態のカメラ１の内部構成と大同小異である。このように構成しても、携帯時には撮影レンズ部と接眼部が相互に遮蔽し合ってカメラの安全性が維持されると共に全体が小型化されて携帯に便利である。
【図面の簡単な説明】
【００４７】
【図１】第１の実施形態としてのカメラの斜視図であり、カメラスタンドと共に示す図である。
【図２】第１の実施形態としてのカメラが非使用時つまり携帯時に畳まれている状態のときの外観図であり、(a) はその正面図、(b) は(a) の左側面図、(c) は(a) の背面図、(d) は(a) の上面図である。
【図３】第１の実施形態としてのカメラの内部構成を示す断面図であり、(a) はその側断面図、(b) は(a) のＡ−Ａ´断面矢視図、(c) は(a) のＢ−Ｂ´断面矢視図、(d) は(a) のＣ−Ｃ´断面矢視図である。
【図４】第１の実施形態としてのカメラの回路ブロック図である。
【図５】(a) 〜(f) は第１の実施形態としてのカメラの使用時の状態を示す図である。
【図６】(a) は第２の実施形態としてのカメラの非使用時つまり携帯時の斜視図、(b) はその撮影時の状態を示す斜視図である。
【図７】(a) は第３の実施形態としてのカメラの非使用時つまり携帯時の斜視図、(b) はその撮影時の状態を示す斜視図である。
【符号の説明】
【００４８】
１      カメラ
２      撮像ユニット
２−１  連結部
３      表示ユニット
４      回動軸
５      操作レリースボタン
６      ストロボ窓
７      ストラップ
８      ストラップ孔
９      コネクタカバー
１０    カメラスタンド
１１    表示装置
１２    撮像レンズブロック
１３    基板Ａ
１４    内蔵電池
１５    撮影レンズ
１６    撮像素子
１７    素通し窓
１８    コネクタ
１９    フレキシブル配線Ａ
２１    ストロボコンデンサ
２２    基板Ｂ
２３    ストロボ発光部
２４    基板Ｃ
２５    ＬＣＤ（表示部）
２５´  ＥＶＦ拡大虚像
２６    自由曲面プリズム
２７    ファインダ窓
２８    フレキシブル配線Ｂ
２９    光束路
３０    ＣＰＵ
３１    バス
３２    記録メモリ
３３    撮影画像処理部
３４    撮像部
３５    電源部
３６    レンズ駆動部
３７    回動位置検出部
３７−１  撮像ユニット側端子
３７−１  表示ユニット側端子
３８    ストロボ部
３９    表示画像処理部
４１    コネクタ
４２    電源部
４３    商用ＡＣ電源プラグ
４４    ユーザ（撮影者）
４５ａ、４５ｂ  目
４６ａ、４６ｂ  頬
４７    鼻
５０    カメラ
５１    撮像ユニット
５２    ファインダユニット
５３    ストロボ窓
５４    撮影レンズ
５５    ＬＣＤ
５６    自由曲面プリズム
５７    ファインダー窓
５８    撮影レンズ配置面
６０    カメラ
６１    撮像ユニット
６２    ファインダユニット
６３    ストロボ窓
６４    回動中心
６５    撮影レンズ
６６    ファインダー窓
６７    撮影レンズ配置面
【図１】
0004766834.tif 000002
【図２】
0004766834.tif 000003
【図３】
0004766834.tif 000004
【図４】
0004766834.tif 000005
【図５】
0004766834.tif 000006
【図６】
0004766834.tif 000007
【図７】
0004766834.tif 000008